(57)【特許請求の範囲】
【請求項１】
複数のサポートによって大引、根太を介して支持される天井型枠に上記大引、根太に囲まれる４角形部分に透孔を開口し、
該透孔の内周に沿う上面に、それぞれ鉄筋コンクリートブロックの外周に沿う下面を載置し、
上記ブロックの下面中央部に該ブロックのサポートを着脱自在に設け、上面中央部に上段階の天井型枠の大引、根太用のサポートを着脱自在に設け、
上記ブロックの鉄筋を該ブロックの外周から４方に延長して天井型枠上の配筋と接続し、上記ブロックの高さと天井スラブの厚さとを同一に形成することを特徴とする中高層建築物の天井スラブ施工法。
【請求項２】
互に間隔を介して直交する根太と大引とによって囲まれる１つ置き４角部分に上記透孔を開口した請求項１記載の天井スラブ施工法。
【請求項３】
上記鉄筋コンクリートブロックが逆載頭錐形である請求項１又は２記載の中高層建築物の天井スラブ施工法。
【請求項４】
複数のサポートによって大引、根太を介して支持される天井型枠に上記大引、根太に囲まれる４角形部分に透孔を開口し、
該透孔の内周に沿う上面に、それぞれ鉄筋コンクリートブロックの外周に沿う下面を載置し、
上記ブロックの下面中央部に該ブロックのサポートを着脱自在に設け、上面中央部に上段階の天井型枠の大引、根太用のサポートを着脱自在に設け、
上記ブロックの鉄筋を該ブロックの外周から４方に延長して天井型枠上の配筋と接続し、上記ブロックの高さと天井スラブの厚さとを同一に形成してなる中高層建築物の天井スラブ施工装置。
【発明の詳細な説明】
【技術分野】
【０００１】
本発明は中高層鉄筋コンクリートの複数階の天井スラブの型枠（コンパネ）に略１度に生コンクリートを投入する天井スラブ施工法及びその装置に関するものである。
【背景技術】
【０００２】
従来、中高層鉄筋コンクリート建築物の施工に際し、天井スラブの施工は型枠（コンパネ）代わりになるプレキヤスコンクリート板材を予め架設したプレキヤスト桁行き梁にクレーンで吊って上方から躯体内に取り込み、支保工無しで天井スラブの施工を行うものであった（例えば特許文献１）。
【０００３】
このような施工法による建築物は規格性に優れて良いが、桁行き梁及び天井スラブを量産する必要があり、坪量の減少、設計の単一性、設計の面積の減少及びそれに伴う耐震性に問題があった。
【０００４】
又、大形の中高層建築では比較的長い大引材及び根太により比較的広い天井スラブが多数の支保工により施工され天井スラブ施工にはコンクリートの硬化、凝固に時間を要した（例えば特許文献２）。
【０００５】
しかし、天井スラブの広さ、厚さを自由に設計できるが、各床の天井スラブのコンクリート硬化、凝固に時間を要した。
【０００６】
【特許文献１】特開平９−２１７４１７
【特許文献２】特開平８−２７００６９
【発明の開示】
【発明が解決しようとする課題】
【０００７】
本発明は比較的広く厚い鉄筋コンクリートによる中高層建築物の生コンクリートによる天井スラブの硬化・凝固施工時間を略１／２に短縮することを目的とする。
【課題を解決するための手段】
【０００８】
上記の目的を達成するため本発明は
第１に複数のサポートによって大引、根太を介して支持される天井型枠に上記大引、根太に囲まれる４角形部分に透孔を開口し、該透孔の内周に沿う上面に、それぞれ鉄筋コンクリートブロックの外周に沿う下面を載置し、上記ブロックの下面中央部に該ブロックのサポートを着脱自在に設け、上面中央部に上段階の天井型枠の大引、根太用のサポートを着脱自在に設け、上記ブロックの鉄筋を該ブロックの外周から４方に延長して天井型枠上の配筋と接続し、上記ブロックの高さと天井スラブの厚さとを同一に形成することを特徴とする中高層建築物の天井スラブ施工法、
第２に互に間隔を介して直交する根太と大引とによって囲まれる１つ置き４角部分に上記透孔を開口した上記第１発明記載の天井スラブ施工法、
第３に上記鉄筋コンクリートブロックが逆載頭錐形である上記第１又は第２発明記載の中高層建築物の天井スラブ施工法、
第４に複数のサポートによって大引、根太を介して支持される天井型枠に上記大引、根太に囲まれる４角形部分に透孔を開口し、該透孔の内周に沿う上面に、それぞれ鉄筋コンクリートブロックの外周に沿う下面を載置し、上記ブロックの下面中央部に該ブロックのサポートを着脱自在に設け、上面中央部に上段階の天井型枠の大引、根太用のサポートを着脱自在に設け、上記ブロックの鉄筋を該ブロックの外周から４方に延長して天井型枠上の配筋と接続し、上記ブロックの高さと天井スラブの厚さとを同一に形成してなる中高層建築物の天井スラブ施工装置、
によって構成される。
【０００９】
従って中高層建築物の躯体と複数段の梁との間に大引と根太を直交配置し、交差部の大引下面にサポート（支柱）の上端を接し、下端を下段のコンクリート床に支持し、上記根太の上面  に天井型枠（天井コンパネ）を載置する。
【００１０】
そして上記天井コンパネの上部に該コンパネと平行な鉄筋を縦横に配筋する。
【００１１】
そして上記大引と根太とに囲まれる４角形部分に開口した透孔の内周に沿う上面に、それぞれ鉄筋コンクリートブロックの外周に沿う下面を重ねて該透孔を該ブロックで閉塞する。
【００１２】
上記ブロックの下面中央部には下段のコンクリート床に至るサポートを着脱自在に設けることによって該ブロックを上記コンクリート床に支持し、それによって上記透孔は閉塞される。
【００１３】
上記ブロックの上面中央部には上向サポートを着脱自在に設け、該サポートの上端で上段階のコンパネを支持する直交根太、大引の交差部を支持することができる。
【００１４】
上記ブロックの鉄筋は該ブロックの中程外周から４方に延長露出され、上記天井型枠（天井コンパネ）上に配筋されている鉄筋を鉄線で巻付けて接続した後、
上記天井型枠及び上段階の天井型枠上に同時又は順次生コンクリートを投入することができる。
【発明の効果】
【００１５】
上記天井型枠及びその上段階の天井型枠に略同時に投入した生コンクリートは略同時に硬化、凝固し、天井及びその上段の第２天井以上の天井スラブを略同時に施工し得る効果がある。
【発明を実施するための最良の形態】
【００１６】
中高層建築物の柱及び壁１０と複数段のコンクリート梁１１，１１との間に上下に水平方向に直交する複数の大引２，２及び根太３，３を配置し、交差部の大引２の下面に鋼製支柱（サポート）１の上端を接し、下端をコンクリート躯体床１２に支持し、根太３，３の上面に天井型枠（コンパネ）４を載置する（図２）。又該コンパネ４上の大引２と根太３との交差部上に鉄筋コンクリートブロック６’を載置し、該ブロック６’上にサポート１を載置し、その上端で上段の根太３と大引２の交差部を支持することができる（図３）。
【００１７】
上記コンパネ４には図７に示すように大引２，２と根太３，３とに囲まれる４角形部分に透孔５を穿設し、該透孔５の内周に沿う上面に夫々鉄筋コンクリートブロック６の外周に沿う下面を載置支持する（図５（ロ）図）。
【００１８】
上記透孔５は大引２，２と根太３，３とに囲まれる４角部分の夫々全部中央に穿設し、或は図６に示すように４角部分の１つ置きに穿設する。
【００１９】
上記ブロック６の上下面中央部には夫々支柱（サポート）１’，１”の上下端に設けたフランジ１ａ’，１ａ”を接し、ボルト１３とボルト孔１３’によって上記ブロック６と着脱自在に設け、下部サポート１’の下端をコンクリート躯体床１２に支持し、上部サポート１”の上端を直上階に架設した根太３と大引２との交差部下面に接して支持し、根太３の上面に上段階のコンパネ４’を載置し、該コンパネ４’に上記透孔を穿設することはなく、縦横の鉄筋９，９’のみ配筋する。
【００２０】
上記鉄筋コンクリートブロック６の下面の径は上記透孔５の径より大であり、天井スラブｓの高さｔと同一の低円柱、低角柱又は逆載頭円錐形或は逆載頭角錐形（図３、図４（ロ）図）等であって、外側面を小凹凸粗面６’（図４）に形成し、生コンクリートによるスラブｓとの結合を強化すると良い。
【００２１】
縦横の鉄筋７，７’，８，８’は図３、図４（ロ）図、図５（ハ）（ニ）（ホ）図に示すように上下２重に４方に配筋され、かつ該ブロック６の外周から４方に延長し、コンパネ４上に縦横に配筋した上下２重の鉄筋９，９’に結束線１４で巻き回して接続する。
【００２２】
上記上段階の天井型枠（上段階コンパネ）４’上にも縦横２重に鉄筋９，９’が配筋される。
【００２３】
その状態において天井型枠（コンパネ）４上に生コンクリートを上記ブロック６の上面水準まで打設し、その後直ちに上段階の天井型枠４’上に生コンクリートを規定水準まで打設する。
【００２４】
上記天井型枠４及び上段階の天井型枠４’に同時に生コンクリートを打設することも可能である。
【産業上の利用可能性】
【００２５】
本発明によると直上の天井型枠４の上面及びその上段階の天井型枠４’の上面に略同時に生コンクリートを打設することができるため、２階及び３階の天井コンパネ４，４’に生コンクリートを略同時に打設し得て約１ヶ月で硬化凝固させ得るから、１階毎に約２ヶ月掛っていた上下のコンクリート天井スラブｓ，ｓを約１ヶ月で施工することが可能となった。
【図面の簡単な説明】
【００２６】
【図１】本発明の中高層建築物の天井スラブ施工法の縦断面図である。
【図２】天井スラブ及びその上段階天井スラブ施工法の縦断正面図である。
【図３】「図２」の他の実施例の天井スラブ及びその上段階天井スラブ施工法の縦断正面図である。
【図４】鉄筋コンクリートブロックの斜視図である。
【図５】（イ）図は鉄筋コンクリートブロックの平面図、（ロ）図は（イ）図の実施状態正面図である。
【図６】（イ）図は天井型枠（コンパネ）の一部縦断面図、（ロ）（ハ）図は上記ブロックの実施状態正面図、（ニ）図は本発明による天井スラブの縦断面図である。
【図７】天井型枠（コンパネ）の実施例の平面図である。
【図８】上記ブロックの配置状態の実施例を示す平面図である。
【符号の説明】
【００２７】
１，１’，１”        サポート
２                    大引
３                    根太
４，４’              天井型枠（コンパネ）
５                    透孔
６                    鉄筋コンクリートブロック
７，７’，８，８’    鉄筋
９，９’              配筋
ｓ                    天井スラブ
ｔ                    高さ
【図１】
0004637151.tif 000002
【図２】
0004637151.tif 000003
【図３】
0004637151.tif 000004
【図４】
0004637151.tif 000005
【図５】
0004637151.tif 000006
【図６】
0004637151.tif 000007
【図７】
0004637151.tif 000008
【図８】
0004637151.tif 000009